【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
コンピュータ装置の背面に回転可能に取り付けられるように構成されたスタンドと；
該スタンドの一部を前記コンピュータ装置の背面に取り付ける少なくとも１つのヒンジであって、該ヒンジは、２つ以上の予め設定された開位置に保持されるように構成され、それによって、前記スタンドは、前記２つ以上の予め設定された開位置に従って前記コンピュータ装置に対して位置付け可能にされる、ヒンジと；を備えており、
前記ヒンジは、
前記スタンドに取り付けられ且つ前記スタンドと連動して回転可能であるヒンジリングと、
ヒンジリングフォロアであって、圧力を前記ヒンジリングに対して加えて前記ヒンジリングフォロアを前記ヒンジリングの表面上の１つ又は複数の切欠きに係合させ、前記ヒンジリングを前記２つ以上の予め設定された開位置のうちの予め設定された開位置に保持する、ヒンジリングフォロアと、
該ヒンジリングフォロアに対して位置付けされ且つ圧力を前記ヒンジリングフォロアに加えて、前記ヒンジリングフォロアによって圧力を前記ヒンジリングに加える、バネと、を含む、
機器。
【請求項２】
前記ヒンジは：
ヒンジフレームと；
該ヒンジフレーム内で少なくとも部分的に回転可能に配置されたリング支持体と；をさらに含み、
前記ヒンジリングは、前記リング支持体に対して回転可能に配置されており、それによって、前記リング支持体に対する特定の位置に前記ヒンジリングを回転することにより、前記ヒンジリングが、前記リング支持体と係合し、且つ前記ヒンジリングを前記特定の位置を越えて更に回転することにより、前記ヒンジフレームに対する前記リング支持体の対応する回転を生じさせる、
請求項１に記載の機器。
【請求項３】
前記ヒンジリングは、前記リング支持体内に少なくとも部分的に回転可能に配置される、
請求項２に記載の機器。
【請求項４】
前記ヒンジリングフォロアは、圧力を前記ヒンジリングの表面の切欠きに加えて、該ヒンジリングを前記２つ以上の予め設定された開位置のうちの少なくともいくつかに保持する、
請求項２に記載の機器。
【請求項５】
前記ヒンジは、圧力を前記リング支持体に加えて、該リング支持体を前記２つ以上の予め設定された開位置のうちの少なくともいくつかに保持するためのリング支持体フォロアを含む、
請求項２に記載の機器。
【請求項６】
前記ヒンジは、圧力を前記リング支持体に加えて、該リング支持体を前記２つ以上の予め設定された開位置のうちの他の位置に保持するためのリング支持体フォロアを含む、
請求項２に記載の機器。
【請求項７】
前記２つ以上の予め設定された開位置のうちの１つは、前記コンピュータ装置の背面に対して前記スタンドの１８０°回転に対応する、
請求項１に記載の機器。
【請求項８】
ヒンジフレームと；
該ヒンジフレーム内に少なくとも部分的に回転可能に配置されたヒンジリングであって、該ヒンジリングは、１つ又は複数の切欠きを含み、且つ部品に取り付け可能であり、前記ヒンジフレームに対して前記部品の回転を可能にする、ヒンジリングと、
前記ヒンジフレーム内に配置されるヒンジリングフォロア及びヒンジリングバネであって、該ヒンジリングバネは、圧力を前記ヒンジリングフォロアに加えて、それにより、前記ヒンジリングフォロアが前記ヒンジリングに対して押圧し、且つ前記ヒンジリングを前記ヒンジフレームに対して開位置に回転させたときに、前記ヒンジリングフォロアが前記ヒンジリングの前記１つ又は複数の切欠き内に圧力を加え、前記ヒンジリングがヒンジの１つ又は複数の予め設定された開位置を取るようにさせる、ヒンジリングフォロア及びヒンジリングバネと、を備える、
ヒンジ。
【請求項９】
前記ヒンジフレーム内に少なくとも部分的に回転可能に配置されたリング支持体をさらに含み、
前記ヒンジリングは、前記リング支持体内で少なくとも部分的に回転可能に配置されており、それによって、前記リング支持体に対する特定の位置に前記ヒンジリングを回転することにより、前記ヒンジリングが前記リング支持体と係合し、且つ前記ヒンジリングを前記特定の位置を越えた開方向に更に回転することにより、前記ヒンジフレームに対する前記リング支持体の対応する回転を生じさせ、前記リング支持体が前記ヒンジの１つ又は複数の予め設定された他の開位置を取るようにさせる、
請求項８に記載のヒンジ。
【請求項１０】
前記ヒンジは、コンピュータ装置に取り付けられており、
前記部品は、隣接面に対して前記コンピュータ装置の複数の姿勢を支持するように前記ヒンジを介して回転可能であるスタンドを含む、
請求項８に記載のヒンジ。
【請求項１１】
前記ヒンジは、コンピュータ装置に取り付けられており、
前記部品は、隣接面に対して前記コンピュータ装置の複数の姿勢を支持するように前記ヒンジを介して回転可能であるスタンドを含み、
前記複数の姿勢のうちの少なくともいくつかは、前記ヒンジの１つ又は複数の予め設定された開位置に対応する、
請求項８に記載のヒンジ。
【請求項１２】
コンピュータ装置であって、当該コンピュータ装置は：
ハウジングと；
該ハウジング及びスタンドに取り付けられた少なくとも１つのヒンジであって、前記スタンドは、前記ヒンジを介して予め設定された位置に位置付け可能であり、隣接面に対して前記コンピュータ装置の複数の姿勢をサポートする、ヒンジと；を備えており、
該ヒンジは：
ヒンジフレームと；
該ヒンジフレーム内で少なくとも部分的に回転可能に配置されたヒンジリングであって、該ヒンジリングは、１つ又は複数の切欠きを含み、且つ前記スタンドに取り付けられており、それによって前記スタンドは、前記ハウジングに対して回転可能である、ヒンジリングと；
前記ヒンジフレーム内に配置されるヒンジリングフォロア及びヒンジリングバネであって、該ヒンジリングバネは、圧力を前記ヒンジリングフォロアに加えて、それにより、前記ヒンジリングフォロアが前記ヒンジリングに対して押圧し、且つ前記ヒンジリングを前記ヒンジフレームに対して開位置に回転させたときに、前記ヒンジリングフォロアが前記ヒンジリングの１つ又は複数の切欠き内に対して係合し、前記ヒンジリングが前記ヒンジの１つ又は複数の予め設定された開位置を取るようにさせる、ヒンジリングフォロア及びヒンジリングバネと；
を含む、
コンピュータ装置。
【請求項１３】
前記ヒンジフレーム内に少なくとも部分的に回転可能に配置されたリング支持体をさらに含み、
前記ヒンジリングは、前記リング支持体内で少なくとも部分的に回転可能に配置されており、それによって、前記リング支持体に対する特定の位置に前記ヒンジリングを回転することにより、前記ヒンジリングが前記リング支持体と係合し、且つ前記ヒンジリングを前記特定の位置を越えて更に回転することにより、前記ヒンジフレームに対する前記リング支持体の対応する回転を生じさせ、前記リング支持体が前記ヒンジの１つ又は複数の予め設定された他の開位置を取るようにさせる、
請求項１２に記載のコンピュータ装置。
【請求項１４】
前記１つ又は複数の予め設定された開位置は、前記ハウジングに対する前記スタンドの１８０°回転を含む、
請求項１２に記載のコンピュータ装置。
【請求項１５】
前記ヒンジフレーム内に少なくとも部分的に回転可能に配置されたリング支持体であって、前記ヒンジリングは、前記リング支持体内で少なくとも部分的に回転可能に配置されており、それによって、前記リング支持体に対する特定の位置に前記ヒンジリングを回転することにより、前記ヒンジリングが前記リング支持体と係合し、且つ前記ヒンジリングを前記特定の位置を越えて更に回転することにより、前記ヒンジフレームに対する前記リング支持体の対応する回転を生じさせ、前記リング支持体が前記ヒンジの１つ又は複数の予め設定された他の開位置を取るようにさせる、リング支持体と、
圧力を前記リング支持体に加えて、該リング支持体を前記１つ又は複数の予め設定された他の開位置に保持するためのリング支持体フォロアと、をさらに含む、
請求項８に記載のヒンジ。
【請求項１６】
圧力を前記リング支持体フォロアに加えて、該リング支持体フォロアによって圧力を前記リング支持体に加えるのを可能にするためのリング支持体バネをさらに含む、
請求項１５に記載のヒンジ。
【請求項１７】
前記ヒンジフレーム内に少なくとも部分的に回転可能に配置されたリング支持体であって、前記ヒンジリングは、前記リング支持体内で少なくとも部分的に回転可能に配置されており、それによって、前記リング支持体に対する特定の位置に前記ヒンジリングを回転することにより、前記ヒンジリングが前記リング支持体と係合し、且つ前記ヒンジリングを前記特定の位置を越えて更に回転することにより、前記ヒンジフレームに対する前記リング支持体の対応する回転を生じさせ、前記リング支持体が前記ヒンジの１つ又は複数の予め設定された他の開位置を取るようにさせる、リング支持体と、
圧力を前記リング支持体に加えて、該リング支持体を前記１つ又は複数の予め設定された他の開位置に保持するためのリング支持体フォロアと、をさらに含む、
請求項１２に記載のコンピュータ装置。
【請求項１８】
前記ヒンジは、圧力を前記リング支持体フォロアに加えて、該リング支持体フォロアによって圧力を前記リング支持体に加えるのを可能にするためのリング支持体バネをさらに含む、
請求項１７に記載のコンピュータ装置。
【請求項１９】
前記ヒンジリングは、前記スタンドに直接的に取り付けられたヒンジ取付け部分を含む、
請求項１に記載の機器。
【請求項２０】
前記ヒンジリングは、前記スタンドの本体に直接的に取り付けられたヒンジ取付け部分を含む、
請求項１２に記載のコンピュータ装置。